(57)【要約】  水切りボウル本体に係合する係合端部を有するハウジングと、ハウジングに旋回可能に係合された脚部と、脚部に結合され、ハウジング内に位置決めされた偏倚機構とを備えた水切りボウルで使用する旋回可能な脚部アセンブリが開示されており、偏倚機構は第１の位置又は第２の位置のいずれかからの脚部の旋回に対して弾力偏倚を与える。
2009502323.tif 000002
【特許請求の範囲】
【請求項１】
水切りボウル本体に係合する係合端部を有するハウジングと、
前記ハウジングに旋回可能に係合される脚部と、
前記脚部に結合され、前記ハウジング内に位置決めされた偏倚機構とを備えた水切りボウルで使用する旋回可能な脚部アセンブリであって、
前記偏倚機構は第１の位置又は第２の位置のいずれかからの前記脚部の旋回に対して弾力偏倚を与える旋回可能な脚部アセンブリ。
【請求項２】
前記ハウジングは下側脚部留め具を組み込んでいる、請求項１に記載の旋回可能な脚部アセンブリ。
【請求項３】
前記下側脚部留め具は、第１の方向への前記脚部の過回転を防ぐ、請求項２に記載の旋回可能な脚部アセンブリ。
【請求項４】
前記ハウジングは上側脚部留め具を組み込んでいる、請求項１に記載の旋回可能な脚部アセンブリ。
【請求項５】
前記上側脚部留め具は、第２の方向への前記脚部の過回転を防ぐ、請求項４に記載の旋回可能な脚部アセンブリ。
【請求項６】
前記脚部は、上端部で前記ハウジングに旋回可能に係合されている、請求項１に記載の旋回可能な脚部アセンブリ。
【請求項７】
前記偏倚機構は、シャフト及び少なくとも１つの偏倚ホイールを備えている、請求項１に記載の旋回可能な脚部アセンブリ。
【請求項８】
前記少なくとも１つの偏倚ホイールは、前記シャフトの端部を受ける偏心開口を有する、請求項７に記載の旋回可能な脚部アセンブリ。
【請求項９】
ハウジングがそこに結合された水切りボウルと、
前記ハウジングに旋回可能に係合された脚部と、
前記脚部に結合され、前記ハウジング内に位置決めされた偏倚機構とを備えた水切りボウル・アセンブリであって、
前記偏倚機構は第１の位置又は第２の位置のいずれかからの前記脚部の旋回に対して弾力偏倚を与えるアセンブリ。
【請求項１０】
前記ハウジングは下側脚部留め具を組み込んでいる、請求項９に記載の旋回可能な脚部アセンブリ。
【請求項１１】
前記下側脚部留め具は、第１の方向への前記脚部の過回転を防ぐ、請求項１０に記載の旋回可能な脚部アセンブリ。
【請求項１２】
前記ハウジングは上側脚部留め具を組み込んでいる、請求項９に記載の旋回可能な脚部アセンブリ。
【請求項１３】
前記上側脚部留め具は、第２の方向への前記脚部の過回転を防ぐ、請求項１２に記載の旋回可能な脚部アセンブリ。
【請求項１４】
前記脚部は、上端部で前記ハウジングに旋回可能に係合されている、請求項９に記載の旋回可能な脚部アセンブリ。
【請求項１５】
前記脚部は前記第１の位置で、前記水切りボウルに隣接する下端部を有する、請求項９に記載の旋回可能な脚部アセンブリ。
【請求項１６】
前記脚部は前記第２の位置で、前記水切りボウルから離れた下端部を有する、請求項９に記載の旋回可能な脚部アセンブリ。
【請求項１７】
前記偏倚機構は、シャフト及び少なくとも１つの偏倚ホイールを備えている、請求項９に記載の旋回可能な脚部アセンブリ。
【請求項１８】
前記少なくとも１つの偏倚ホイールは、前記シャフトの端部を受ける偏心開口を有する、請求項１７に記載の旋回可能な脚部アセンブリ。
【発明の詳細な説明】
【技術分野】
【０００１】
本発明は概して、食品を濾してすすぐことを意図した装置に関し、より詳細には複数の位置で水切りボウルを支持することができる水切りボウルで使用するための旋回可能な脚部アセンブリに関する。
【背景技術】
【０００２】
果物、野菜などから汚染物質をすすぎ、調理後にパスタ及び他の食品から水又は他の液体を排水させる目的で水切りボウル又は濾し器を使用することは良く知られている。普通、従来技術の水切りボウルは、すすぎ水、調理水又は他の液体が水切りボウルの内容物を処分及び／又はその汚染を防ぐように排水される流し台ボウルの上への水切りボウルの内容物の懸下を可能にする構造を有する。このような装置の例としては、流し台ボウルの底部に置かれる基部を含む水切りボウル又は濾し器が挙げられる。別の例は、水栓に取り付ける又はその上にわたすように水切りボウル又は濾し器から上向きに延びているハンガなどの要素を組み込むことができる。さらに別の例では、水切りボウル又は濾し器、又はそのハンドルは、その対向する端部が流し台ボウル内又はその上で水切りボウル又は濾し器のボウル部を懸下させるように、流し台の対向する縁又は縁部上に載ることができるような十分な寸法をしている可能性がある。
【０００３】
このような既存の水切りボウル及び濾し器は、特に基部が汚染された流し台ボウル内に配置され、その後、調理台、卓上などの上に配置され、汚染物質が調理台又は卓上に運ばれる可能性がある場合に特定の欠点を有する。上記第２の例では、水栓から流し台上に水切りボウルを懸下させる垂下手段を望ましくないように摺動して、水切りボウル内への物の配置を干渉する可能性がある。加えて、水栓から水切りボウルを懸下させることにより、栓を使用することが難しくなる可能性もある。第３の例に関して、水切りボウル又はそのハンドルの寸法が大きいことにより、食器洗い機などへの積み込み及び配置の際に困難がしばしばある。
【発明の開示】
【発明が解決しようとする課題】
【０００４】
本出願は、水切りボウル本体に係合する係合端部を有するハウジングと、ハウジングに旋回可能に係合される脚部と、脚部に結合され、ハウジング内に位置決めされた偏倚機構とを備えた水切りボウルで使用する旋回可能な脚部アセンブリを開示しており、偏倚機構は脚部を第１の位置と第２の位置の間で旋回させるように弾力偏倚を与える。
【課題を解決するための手段】
【０００５】
水切りボウルの特性は、脚部が第１又は第２の位置から不注意に移動されないように、第１の位置と第２の位置の間で脚部を移動させる場合に弾力偏倚を与える偏倚機構を組み込んでいる旋回可能な脚部アセンブリを提供することである。
【０００６】
別の特性は、脚部が第１の位置にある場合に表面上で支持されることもでき、脚部が第２の位置にある場合に流し台ボウルの上に懸下させることもできる水切りボウルを提供することである。
【０００７】
開示された水切りボウルは、従来の水切りボウルの典型的な構成をかなり向上させたものであり、偏倚機構を組み込んでいる対向する旋回可能な脚部アセンブリが水切りボウルに連結されている。
【実施例】
【０００８】
保護を求める主題の理解を容易にする目的で、以下の説明、保護を求める主題、その構成及び動作、及びその利点の多くを合わせて考えた場合にその検討により容易に理解し分かるべきであるその実施例が添付の図面に示されている。
【０００９】
次に図１及び６を参照すると、図２、３、４Ａ及び５Ａに関して本明細書で詳細に説明するように、脚部３０がハウジング１２に対して旋回するように互いに係合されたハウジング１２及びほぼＵ字形の脚部３０を備えた旋回可能な脚部アセンブリ１０が示されている。
【００１０】
ハウジング１２は、ハウジング１２を水切りボウル５０（図２及び３参照）などの構造物に固定させる係合部１４を備えている。ハウジング１２は、側壁１９によって結合される上下壁面１５及び１７を有する。ハウジング１２は、上側脚部留め具１６及び下側脚部留め具１８を画定するようにその両側で切り欠く又は窪ませることができる。上側脚部留め具１６は、脚部３０がハウジング１２の上壁面１５の方向に離れ過ぎて回転するのを防ぐ。同様に、下側脚部留め具１８は脚部３０が、ハウジング１２の下壁面１７の方向に離れ過ぎて回転するのを防ぐ。図２及び４Ａに関してさらに詳細に記載するように、脚部３０が下側脚部留め具１８によって止められる前に旋回することができる最も遠い点は第１の位置「Ａ」であるが、図３及び５Ａに示すように、脚部３０が上側脚部留め具１６によって止められる前に旋回することができる最も遠い点は第２の位置「Ｂ」である。ハウジング１２の上壁面１５と下壁面１７の間に、ブラケット２０及び２２と、キャビティ２４が位置決めされている。キャビティ２４は、それぞれ切り欠き２１及び２３（図６）でブラケット２０及び２２に係合されたシャフト２６を備えた偏倚機構２５を含んでいるハウジング１２に内部領域を提供する。偏倚機構２５はまた、シャフト２６の対向端部をそれぞれ受ける偏心開口２７をそれぞれ有する偏倚ホイール４２を備えている。偏倚ホイール４２は、脚部３０の旋回動作により偏倚ホイール４２を回転させるように、脚部３０に結合されている。
【００１１】
図１にさらに示すように、脚部３０は下端部３２、及び１対の上端部３４を形成する湾曲部を備えている。下端部３２は、接触する基板（流し台、テーブル、カウンタなど）上を脚部３０があまり摺動しないように端部３２の摩擦係数を大きくする、適切なエラストマーなどの材料で覆うことができる。このような摩擦強化材料としては、これに限らないが、ゴム又はプラスチック材料が挙げられる。
【００１２】
加えて、図６に示すように、ハウジング１２は脚部端部３４のペグ３５を受けるために開口２８を組み込んでいる。ペグ３５は開口２８を通過し、偏倚ホイール４２の脚部係合開口２９と噛み合う。ペグ３５と開口２８の間の係合により、脚部３０をハウジング１２に対して旋回させることが可能になる。
【００１３】
次に図２を参照すると、旋回可能な脚部アセンブリ１０の２つが、あらゆる適切な手段によって水切りボウル５０に係合されているのが示されている。図示するように、脚部３０は水切りボウル５０に隣接して脚部３０を配置する第１の位置「Ａ」にある。このように、脚部３０の下端部３２は水切りボウル５０用スタンドとして働いて、下端部３２が接触する基板（図示せず）の上に間隔を置いて配置された水切りボウル５０の底部を保持することができる。さらに図示するように、各脚部３０はハウジング１２の下側脚部留め具１８と接触する内側表面３６を備えており、それによって脚部３０の過回転を防ぐ。
【００１４】
次に図３を参照すると、２つの旋回可能な脚部アセンブリ１０のハウジング１２がまた、水切りボウル５０に係合されているのが示されている。図示するように、脚部３０は、脚部３０の下端部３２を水切りボウル５０から離れるように配置する第２の位置「Ｂ」にある。このように、脚部３０の下端部３２は、水切りボウル５０を例えば流し台ボウル（図示せず）の上に懸下させるように働く。下端部３２は、２つの側部で台所調理台などの流しボウルを支持する基板と接触し、それによって流し台ボウルの底部の上に流し台ボウル５０を持ち上げる。脚部３０はさらに、脚部３０の脚部留め具４０とハウジング１２の上側脚部留め具１６の間の接触によって過回転しないようにされる。
【００１５】
図４及び４Ａはさらに、図２に関して記載した第１の位置「Ａ」を示している。図示するように、ハウジング１２のブラケット２０及び２２は、偏倚機構２５のシャフト２６を支持する。偏倚機構２５は、当業界で知られるように、第１の位置「Ａ」又は第２の位置「Ｂ」のいずれかからの脚部３０の移動に弾性的に抵抗する過中心ばねとして働くことができる。シャフト２６と偏倚ホイール４２の間の噛み合い係合は、位置Ａ’によって示すように偏倚ホイール４２の中心から等しくずれていることが好ましく、それによってシャフト２６は、第１の位置「Ａ」にある場合にＡ’とＢ’の間の中間位置にあるより大きな偏倚力を受ける。このように、脚部３０の下端部３２は、脚部３０を移動させる不注意な試みが行われる場合に加えられる力に偏倚機構２５の抵抗によって第１の位置「Ａ」に十分維持される。図４Ａに示すように、偏倚機構２５の一部はブラケット２０の切り欠き２１内に支持され、図６に加えて示すホイール４２の中心ずれ開口２７に一端部で噛み合っている。また、脚部３０が第１の位置「Ａ」から第２の位置「Ｂ」まで移動するときに伸びるように、偏倚機構２５が中心ずれ開口２７に噛み合っていることが好ましい。偏倚機構２５のそれぞれの端部はそれぞれブラケット２０及び２２の切り欠き２１及び２３に対して偏倚ホイール４２にずれて取り付けられているので、偏倚機構２５は「過中心」であり、第１の位置「Ａ」及び第２の位置「Ｂ」の両方で脚部３０を保持、又はしっかり弾力偏倚させるように働き、それによって脚部３０がその２つの極度操作位置（第１の位置「Ａ」及び第２の位置「Ｂ」）にある場合に、本発明の旋回可能な脚部アセンブリ１０の安定性を維持する。このようにして、シャフト２６は、脚部３０が旋回及び結合されたときに、第１の位置「Ａ」から第２の位置「Ｂ」に向かった移動に対する弾力偏倚を与え、偏倚ホイール４２はそれによって回転される。
【００１６】
次に図５及び５Ａを参照すると、図２を参照して説明した第２の位置「Ｂ」が示されている。また、ハウジング１２のブラケット２０及び２２は、各端部で偏倚ホイール４２に噛み合わされた偏倚機構２５を支持する。前に記したように、偏倚機構は第２の位置「Ｂ」と第１の位置「Ａ」の間で移動する場合に抵抗を与える過中心ばねであることが好ましい。偏倚機構２５と偏倚ホイール４２の間の噛み合い係合は、位置Ｂ’に示すように、偏倚ホイール４２の中心から等しくずれていることが好ましく、それによって偏倚機構２５は第２の位置「Ｂ」にある場合に、Ｂ’とＡ’の間の中間位置にあるより大きな偏倚力を受ける。このように、脚部３０の下端部３２は、脚部３０を移動させる不注意な試みが行われる場合に加えられる力に偏倚機構２５の抵抗によって第２の位置「Ｂ」に十分維持される。図５Ａに示すように、偏倚機構２５の一部はブラケット２０の切り欠き２１内に支持され、図６に加えて示すホイール４２の中心ずれ開口２７に一端部で噛み合っている。また、脚部３０が第２の位置「Ｂ」から第１の位置「Ａ」まで移動するときに伸びるように、偏倚機構２５が中心ずれ開口２７に噛み合っていることが好ましい。偏倚機構２５のそれぞれの端部はそれぞれブラケット２０及び２２の切り欠き２１及び２３に対して偏倚ホイール４２にずれて取り付けられているので、偏倚機構２５は「過中心」であり、第１の位置「Ａ」及び第２の位置「Ｂ」の両方で脚部３０を保持、又はしっかり弾力偏倚させるように働き、それによって脚部３０がその２つの極度操作位置（第１の位置「Ａ」及び第２の位置「Ｂ」）にある場合に、本発明の旋回可能な脚部アセンブリ１０の安定性を維持する。このようにして、偏倚機構２５は、脚部３０が旋回及び結合されたときに、第２の位置「Ｂ」から第１の位置「Ａ」に向かった移動に対する弾力偏倚を与え、偏倚ホイール４２はそれによって回転される。
【００１７】
第１の位置「Ａ」と第２の位置「Ｂ」の間で脚部３０を旋回させる際に加えられる力に対する偏倚機構２５の抵抗は、脚部３０が第１の位置「Ａ」と第２の位置「Ｂ」の間で不注意に移動しないようにするのに十分であり、脚部３０を第１の位置「Ａ」又は第２の位置「Ｂ」のいずれかに解放可能に固定することを可能にすることを理解すべきである。脚部３０を所望の第１の位置「Ａ」又は第２の位置「Ｂ」に配置するために、ユーザの強度を利用して偏倚機構２５の抵抗を克服する。
【００１８】
本発明を好ましい実施例と合わせて記載したが、開示した脚部アセンブリの他の目的及び改良が保護される主題の視野及び範囲内で行なうことができることは当業者には自明のことであろう。
【００１９】
脚部アセンブリは、その様々な態様及び開示した形態で、その他のものの記した特性及び利点の到達に十分適応されている。開示した詳細は、これらの詳細を添付の特許請求の範囲に含めることができることを除いて、保護を求める主題の限定として解釈すべきではない。排他的な性質又は特権を請求する実施例は、添付の特許請求の範囲の通りである。
【図面の簡単な説明】
【００２０】
【図１】旋回脚部アセンブリの好ましい実施例の斜視図である。
【図２】第１の位置「Ａ」にあり、水切りボウルに取り付けられた、図１の１対の脚部アセンブリの縮小側平面図である。
【図３】第２の位置「Ｂ」に脚部アセンブリを備えた、図２と同様の図である。
【図４】図１の脚部アセンブリの端部平面図である。
【図４Ａ】図４の線４Ａ−４Ａにほぼ沿った断片断面図である。
【図５】図３の位置「Ｂ」に脚部アセンブリを備えた、図４と同様の図である。
【図５Ａ】図５の線５Ａ−５Ａにほぼ沿った断面図である。
【図６】図１に示す脚部アセンブリの展開斜視図である。
【図１】
2009502323.tif 000003
【図２】
2009502323.tif 000004
【図３】
2009502323.tif 000005
【図４】
2009502323.tif 000006
【図４Ａ】
2009502323.tif 000007
【図５】
2009502323.tif 000008
【図５Ａ】
2009502323.tif 000009
【図６】
2009502323.tif 000010
【国際調査報告】
2009502323.tif 000011